(57)【要約】      （修正有）【課題】利用者の操作に対する景品獲得の達成感を向上させる景品獲得装置を提供する。【解決手段】貫通棒を有する獲得手段と、貫通孔１１１ａを有するパネル１１１と、貫通棒が貫通孔１１１ａを貫通するまで第１の景品を保持する第１保持手段１１２と、第２の景品を載置する載置面と、第２の景品が移動する一方向の辺に景品が滑り落ちないように設けられるストッパと、当該一辺に設けられる切込部とを有する第２保持手段１１３と、一端がパネルに接続されるとともに他端に形成される凸部が第２保持手段の切込部にまで伸張され、当該凸部がストッパより高く押し出されることで載置面上の第２の景品を落下させる落下手段１１４と、該落下手段を、パネルと接続される一端が押圧されない状態で凸部を載置面より低く保つとともに、一端が押圧された状態で凸部をストッパより高くするように可動自在に支持する第１支持手段１１５とを備える。【選択図】図２
0003168033.tif 000002
【実用新案登録請求の範囲】
【請求項１】
利用者の操作に応じて景品収納部内で保持される景品を落下させ、外部に排出する景品獲得装置であって、
水平方向及び垂直方向に駆動自在に配置され、貫通棒を有する獲得手段と、
前記獲得手段の下方に配置され、貫通孔を有するパネルと、
前記パネルの下方に配置され、前記貫通棒が前記貫通孔を貫通するまで第１の景品を保持する第１保持手段と、
前記第１保持手段で保持される第１の景品とは異なる第２の景品を載置可能であって載置する第２の景品が一方向に移動するように形成される載置面と、当該載置面の第２の景品が移動する一方向の辺に景品が落ちないように設けられるストッパと、当該一辺に設けられる切込部とを有する第２保持手段と、
一端が前記パネルに接続されるとともに他端に形成される凸部が前記第２保持手段の切込部にまで伸張され、当該凸部が前記ストッパより高く押し出されることで前記載置面上の第２の景品を落下させる落下手段と、
前記落下手段を、前記パネルと接続される一端が押圧されない状態で前記凸部を前記載置面より低く保つとともに、前記一端が押圧された状態で前記凸部を前記ストッパより高くするように可動自在に支持する第１支持手段と、
を備えることを特徴とする景品獲得装置。
【請求項２】
前記パネルを、押圧されない場合に前記落下手段と接続される一端を所定の位置に保持し、押圧された場合に前記一端が低く傾斜するように可動自在に支持する第２支持手段をさらに備えることを特徴とする請求項１記載の景品獲得装置。
【請求項３】
前記第１支持手段は、前記パネル及び前記落下手段の重さを利用して、前記パネルが押圧されない場合に前記落下手段と接続される一端を所定の位置に保持し、押圧された場合に前記一端が低く傾斜するように前記落下手段を支持することを特徴とする請求項１記載の景品獲得装置。
【考案の詳細な説明】
【技術分野】
【０００１】
本考案は、利用者の操作に基づいて景品収納部内で保持される景品を落下させ、内部から外部に排出する景品獲得装置に関する。
【背景技術】
【０００２】
昨今、ゲームセンター等の遊戯施設には、クレーン型景品獲得装置のように、利用者による操作の結果、景品を獲得する景品獲得装置が多く設置されている。例えば、クレーン型景品獲得装置では利用者が獲得しようとする景品を収納する景品収納部内でクレーンを所望位置に移動させ、クレーンで把持することのできた景品を景品収納部から排出することで、利用者は景品を獲得することができる。
【０００３】
また、近年では、クレーン型景品獲得装置以外にも様々な景品獲得措置が設置されている。例えば、貫通棒を用い、停止していた景品を景品誘導レールで誘導させてから獲得する景品獲得装置もある（例えば、特許文献１参照）。
【０００４】
しかしながら、従来のクレーン型景品獲得装置や上述した特許文献１に記載の装置では、操作に成功しなければ利用者は景品を獲得することができなかった。したがって、利用者は操作に成功しない限り景品を得ることができないため、達成感を得にくい問題がある。
【０００５】
これに対し、ゲーム機内において、利用者がアームを用いて獲得を試みる第１の景品とは別に、他の収納部で第２の景品を収納し、アームを用いた獲得に失敗した場合でも、ある条件を満たした場合に他の収納部で収納される第２の景品を排出することで利用者のモチベーションを維持するゲーム機もある（例えば、特許文献２参照）。また、遊技機内において、ある条件を満たした場合、本来の遊戯とは別にクレーンゲームを開始できるようにし、遊技機の利用者を楽しませる遊技機もある（例えば、特許文献３参照）。
【０００６】
しかしながら、特許文献２に記載の方法では、抽選によって第２の景品を排出しており、十分に利用者の達成感を得ることは困難である。また、特許文献３に記載の方法でも、クレーンゲームで失敗した場合には景品を獲得することができず、十分に利用者の達成感を得ることは困難である。
【先行技術文献】
【特許文献】
【０００７】
【特許文献１】実用新案登録第３１４６１６９号公報
【特許文献２】特開２００８−１２５９７０号公報
【特許文献３】特開２００８−１２５９４８号公報
【考案の概要】
【考案が解決しようとする課題】
【０００８】
上述したように、従来の景品獲得装置には、成功しない限り、景品を獲得することができないため利用者の達成感が得られにくい問題があった。
【０００９】
上記課題に鑑み、本考案では、利用者の操作に対する景品獲得の達成感を向上させる景品獲得装置を提供する。
【課題を解決するための手段】
【００１０】
上記目的を達成するため、本考案に係る景品獲得装置の第１の特徴は、利用者の操作に応じて景品収納部内で保持される景品を落下させ、外部に排出する景品獲得装置であって、水平方向及び垂直方向に駆動自在に配置され、貫通棒を有する獲得手段と、前記獲得手段の下方に配置され、貫通孔を有するパネルと、前記パネルの下方に配置され、前記貫通棒が前記貫通孔を貫通するまで第１の景品を保持する第１保持手段と、前記第１保持手段で保持される第１の景品とは異なる第２の景品を載置可能であって載置する第２の景品が一方向に移動するように形成される載置面と、当該載置面の第２の景品が移動する一方向の辺に景品が落ちないように設けられるストッパと、当該一辺に設けられる切込部とを有する第２保持手段と、一端が前記パネルに接続されるとともに他端に形成される凸部が前記第２保持手段の切込部にまで伸張され、当該凸部が前記ストッパより高く押し出されることで前記載置面上の第２の景品を落下させる落下手段と、前記落下手段を、前記パネルと接続される一端が押圧されない状態で前記凸部を前記載置面より低く保つとともに、前記一端が押圧された状態で前記凸部を前記ストッパより高くするように可動自在に支持する第１支持手段とを備えることにある。
【００１１】
本考案に係る景品獲得装置の第２の特徴は、前記パネルを、押圧されない場合に前記落下手段と接続される一端を所定の位置に保持し、押圧された場合に前記一端が低く傾斜するように可動自在に支持する第２支持手段を備えることにある。
【００１２】
本考案に係る景品獲得装置の第３の特徴は、前記第１支持手段は、前記パネル及び前記落下手段の重さを利用して、前記パネルが押圧されない場合に前記落下手段と接続される一端を所定の位置に保持し、押圧された場合に前記一端が低く傾斜するように前記落下手段を支持することにある。
【考案の効果】
【００１３】
本考案に係る景品獲得装置によれば、利用者の操作に対する景品獲得の達成感を向上させることができる。
【図面の簡単な説明】
【００１４】
【図１】第１実施形態に係る景品獲得装置の斜視図である。
【図２】第１実施形態に係る景品獲得装置で利用する景品排出機構の斜視図である。
【図３】第１実施形態に係る景品獲得装置において第２の景品の排出を説明する斜視図である。
【図４】第２実施形態に係る景品獲得装置で利用する景品排出機構の斜視図である。
【考案を実施するための形態】
【００１５】
〈第１実施形態〉
以下、本考案の第１実施形態に係る景品獲得装置について説明する。図１に示すように、本考案の一実施形態に係る景品獲得装置１は、利用者の操作に基づいて、景品収納部１０の内部に配置される景品を景品排出口１４ａ，１４ｂを介して景品獲得装置１の内部から外部に排出する装置である。
【００１６】
景品獲得装置１は、少なくとも一部が透明で内部が視認可能な景品収納部１０と、景品収納部１０内に設けられ、水平方向（ｘｙ方向）及び垂直方向（ｚ方向）に駆動自在な獲得手段１２ａ，１２ｂと、獲得手段１２ａ，１２ｂを所望位置に移動させる駆動機構１３と、景品収納部１０内で獲得手段１２ａ，１２ｂの下方に配置される景品排出機構１１と、景品収納部１０内の景品を排出する景品排出口１４ａ，１４ｂと、利用者が獲得手段１２ａ，１２ｂの駆動操作に利用する操作ボタン等を有する操作部１５とを備えている。ここで、図１に示すように、獲得手段１２ａ，１２ｂは、それぞれ貫通棒１２１を有している。
【００１７】
図２に示すように、景品排出機構１１は、貫通孔１１１ａを有するパネル１１１と、パネル１１１の下方に配置され、貫通棒１２１が貫通孔１１１ａを貫通するまで第１の景品Ａを保持する第１保持手段１１２と、第１保持手段１１２で保持される第１の景品Ａとは異なる第２の景品を保持する第２保持手段１１３と、一端がパネル１１１に接続されるとともに他端が第２保持手段１１３に形成される切込部１１３ｄにまで伸張され、この他端に形成される凸部１１４ａが第２保持手段１１３より上に押し出されることで第２保持手段１１３が保持する上の第２の景品を落下させる落下手段１１４と、この落下手段１１４を傾斜可能に支持する第１支持手段１１５とを備えている。
【００１８】
図２に示す例では、景品排出機構１１は、支持板１１６を備え、この支持板１１６上にパネル１１１、第２保持手段１１３及び第１支持手段１１５を設置している。また、図２に示す例では、支持板１１６は、パネル１１１を支持するパネル支持部１１６ａと落下手段１１４を支持する落下手段支持部１１６ｃとを有している。この支持板１１６は、貫通棒１２１と垂直な状態である。
【００１９】
パネル支持部１１６ａは、パネル１１１と略同一形状に形成されている。また、パネル支持部１１６ａは、第２保持手段１１３及び第１支持手段１１５と遠い辺に、パネル支持部１１６ａと垂直な壁部１１７ａを有している。パネル１１１は、この壁部１１７ａに第２支持手段１１７ｂを利用して支持されている。ここで、第２支持手段１１７ｂは、パネル１１１を壁部１１７ａに固定するものではなく、パネル１１１と壁部１１７ａで形成する角度を変更可能に支持する蝶番等である。また、パネル１１１は、パネル支持部１１６ａの壁部１１７ａを有する辺と対向する第２保持手段１１３及び第１支持手段１１５と近い辺で、第３支持手段１１７ｃを利用して支持されている。ここで、第３支持手段１１７ｃは、パネル１１１を固定して支持するものではなく、パネル１１１とパネル支持部１１６ａとの距離を変更可能なバネ等である。
【００２０】
したがって、パネル１１１は、押圧されていない状態で、パネル支持部１１ｂ上で、第２支持手段１１７ｂ及び第３支持手段１１７ｃを利用して支持板１１６と平行な状態、すなわち、貫通棒１２１と垂直な状態に支持されている。一方、第２支持手段１１７ｂによって角度が可変であり、第３支持手段１１７ｃによって高さも可変であるため、パネル１１１は、押圧により傾斜される。
【００２１】
第１の景品Ａを保持する第１保持手段１１２は、パネル支持部１１６ａの下側に配置される。したがって、パネル１１１の貫通孔１１１ａを通過した貫通棒１２１がさらに下にある第１保持手段１１２を押圧して第１の景品Ａを落下させることができるようにパネル支持部１１６ａにも貫通孔１１６ｂを設ける必要がある。また、パネル１１１の貫通孔１１１ｂを貫通したが、パネル支持部１１６ａの貫通孔１１６ｂを貫通できないことがないように、パネル支持部１１６ａに形成される貫通孔１１６ｂの位置は、パネル１１１に形成される貫通孔１１１ｂの位置と一致させる必要がある。なお、大きさは同一でなくてもよく、パネル１１１の貫通孔１１１ａよりも、パネル支持部１１６ａの貫通孔１１６ｂの大きさを大きくしても良い。
【００２２】
第１保持手段１１２は、第１の景品Ａを載置する載置板１１２ａ、パネル１１１の貫通孔１１１ａ及びパネル支持部１１６ａの貫通孔１１６ｂを貫通した貫通棒１２１と接触する接触板１１２ｂ、貫通棒１２１と接触板１１２ｂが接触するまで載置板１１２ａをパネル１１１と平行に保つ止め具１１２ｃとを備えている。また、第１保持手段１１２は、支持板１１６と接続される複数の紐１１２ｄを備え、この複数の紐１１２ｄを利用して載置板１１２ａや止め具１１２ｃを支持している。
【００２３】
例えば、接触板１１２ｂは、回転軸１１２ｅに固定される可動部１１２ｆと接続されている。この回転軸１１２ｅは、接触板１１２ｂが押圧されると、回転自在に、景品収納部１０内で保持されている。したがって、貫通棒１２１が貫通孔１１１ａを貫通して接触板１１２ｂが貫通棒１２１に押圧されると、載置板１１２ａと平行な接触板１１２ｂが載置板１１２ａと平行でなくなり、載置板１１２ａをパネル１１１と平行に保つ止め具１１２ｃが外れて第１の景品Ａが落下する。
【００２４】
第２保持手段１１３は、第２の景品Ｂを載置する載置面１１３ａ、載置面１１３ａに載置される第２の景品を保持するためのガイド１１３ｂ及びストッパ１１３ｃ、第２の景品Ｂを落下させる際に使用する凸部１１４ａが上下する切込部１１３ｄとを有している。
【００２５】
載置面１１３ａは、切込部１１３ｄを有する辺がこれと対向する辺より低くなるように傾斜している。したがって、第２保持手段１１３で保持する景品は、載置面１１３ａ上で、ガイド１１３ｂに沿ってストッパ１１３ｃに当たるまで滑り落ちる。ストッパ１１３ｃは、第２の景品Ｂを保持可能な程度の高さに設定されている。
【００２６】
落下手段１１４は、一端がパネル１１１と接続されており、他端に少なくとも一部が切込部１１３ｄに位置する凸部１１４ａを有している。落下手段１１４は、第１支持手段１１５によって、落下手段支持部１１６ｃに支持されている。この第１支持手段１１５は、落下手段１１４を落下手段支持部１１６ｃに固定するものではなく、支持板１１６に対して落下手段１１４の傾きを変更可能な蝶番等である。
【００２７】
落下手段１１４は、パネル１１１と接続される一端が押圧されると、シーソー動作により、第１支持手段１１５を支点として凸部１１４ａの位置が上がる。また、パネル１１１は、壁部１１７ａに支持する第２支持手段１１７ｂを支点として、傾斜される。したがって、パネル１１１が押圧されることで、パネル１１１と落下手段１１４の接続部分も押し下げられて、凸部１１４ａが押し上げられる。また、凸部１１４ａが押し上げられると、凸部１１４ａ上にある第２の景品Ｂも押し上げられ、第２の景品Ｂがストッパ１１３ｃより高く押し上げられた時点で第２の景品Ｂは落下する。
【００２８】
すなわち、第１支持手段１１５は、パネル１１１が押圧されない状態では落下手段１１４の凸部１１４ａが載置面１３ａよりも下に位置し、パネル１１１が押圧された状態では凸部１１４ａがストッパ１１３ｃよりも上に位置するように落下手段１１４を支持する。
【００２９】
続いて、第１の実施形態に係る景品獲得装置１による景品の獲得方法について説明する。利用者は、操作部１５に設けられる操作ボタン等を操作し、獲得手段１２ａ，１２ｂをパネル１１１に形成される貫通孔１１１ａ上に移動させるとともに垂直方向（下方向）に移動させる。貫通棒１２１が貫通孔１１１ａを貫通し、貫通棒１２１の先端が接触板１１２ｂと接触すると、第１保持手段１１２で保持される第１の景品Ａが第１保持手段１１２から落下し、利用者は落下した第１の景品Ａを獲得することができる。
【００３０】
具体的には、利用者は、操作部１５を利用して駆動機構１３を介して獲得手段１２ａを水平方向に操作し、貫通棒１２１がパネル１１１に形成される貫通孔１１１ａの上方に位置するように位置調整する。利用者は、獲得手段１２ａを水平方向に位置調整すると、操作部１５を利用して獲得手段１２ａを下方向に移動させて貫通棒１２１を貫通孔１１１ａに貫通させる。例えば、景品獲得装置１では、水平方向の位置調整が終了した終了信号が入力されることで、獲得手段１２ａ垂直方向の移動を開始するように設定することができる。
【００３１】
貫通棒１２１が貫通孔１１１ａを貫通して貫通棒１２１先端が接触板１１２ｂと接触し、獲得手段１２ａが更に下方向に移動され、貫通棒１２１によって接触板１１２ｂが押圧されることで、載置板１１２ａをパネル１１１に対して水平に吊るしている止め具１１２ｃが外れ、載置板１１２ａが傾き、載置板１１２ａ上の第１の景品は落下する。
【００３２】
ここで、貫通棒１２１の位置が貫通孔１１１ａの位置とずれている場合には貫通棒１２１は貫通孔１１１ａを貫通できない。一方、貫通棒１２１が貫通孔１１１ａを貫通できなくてもパネル１１１を押圧した場合、パネル１１１と接続される落下手段１１４が第１支持手段１１５を支点としてシーソー動作する。
【００３３】
具体的には、パネル１１１が押圧されていない状態では、凸部１１４ａは、図３（ａ）に示すように載置面１１３ａより低く位置している。これに対し、パネル１１１が押圧されることによりパネル１１１と落下手段１１４との接続面が下がると、図３（ｂ）に示すように落下手段１１４が傾斜し、落下手段１１４の凸部１１４ａが載置面１１３ａより押し上げられる。凸部１１４ａが載置面１１３ａより高くなり、さらにストッパ１１３ｃよりも高くなると、図３（ｃ）に示すように凸部１１４ａが載置面１１３ａ上で保持していた第２の景品Ｂ１を押し上げて落下させる。また、第２の景品Ｂ１が落下したことで、他の第２の景品Ｂ２〜Ｂ４が載置面１１３ａの傾斜によって移動する。
【００３４】
図示を用いた説明は省略するが、第１保持手段１１２から落下した第１の景品Ａ及び第２保持手段１１３から落下した第２の景品Ｂ１は景品収納部１０内に設けられる誘導路を介して景品排出口１４ａから排出され、利用者に獲得される。
【００３５】
すなわち、利用者は、操作に成功した場合には、第１の景品Ａを獲得することができる。一方、第１の景品Ａを獲得しようと獲得手段１２ａを貫通孔１１１ａに貫通させるように操作したにも関わらず貫通棒１２１の貫通孔１１１ａへの位置合わせが失敗し、貫通棒１２１がパネル１１１に当たることがある。景品獲得装置１では、このように貫通棒１２１がパネル１１１に当たった場合には、落下手段１１４が第２の景品Ｂを落下させることで、利用者はゲームに失敗しても残念賞として第２の景品を獲得することができる。
【００３６】
ここで、利用者が獲得手段１２をパネル１１１上に位置合わせすることはそれ程困難なことではないが、貫通棒１２１を貫通孔１１１ａ上に位置合わせすることが困難である。したがって、多くの利用者は、第１の景品Ａを獲得できない場合であっても、利用者の操作、すなわち位置合わせに対応する結果として、残念賞である第２の景品Ｂを獲得することができる。
【００３７】
なお、例えば、貫通棒１２１が接触板１１２ｂ又はパネル１１と接触し、所定の力で押圧すると、獲得手段１２ａは上方向に駆動されて元の位置に移動されて終了される。
【００３８】
獲得手段１２ｂの構成及び機能は上述した獲得手段１２ａの構成及び機能と同一であるため、ここでは説明を省略する。
【００３９】
また、第１保持手段１１２の構成及び景品の保持方法については限定されず、貫通棒１２１によって押圧された場合に保持している景品を落下させる構成及び保持方法であればよい。例えば、載置板１１２ａ上に第１の景品Ａを載置する方法でなく、接触板１１２ｂに景品又は景品を梱包するパッケージを吊るすことができるフックを設け、接触板１１２ｂがパネル１１１と平行な場合に景品を保持し、接触板１１２ｂが貫通棒１２１で押圧されてパネル１１１と平行でなくなった場合に景品が落下するように構成されていてもよい。
【００４０】
さらに、第２保持手段１１３の載置面１１３ａは、平面に形成されるほか、ローラーを利用して景品を一方向に送り出すことのできるいわゆるローラーコンベアで構成されていても良い。なお、ローラーコンベアを利用する場合には、傾斜している必要はないが、ローラーコンベアで形成される載置面上の景品は、景品が移動する一方向の辺にストッパが設けられるとともに、落下手段１１４の凸部１１４ａが押し上げられたときに第２の景品Ｂを落下させるための切込部を備えている必要がある。
【００４１】
例えば、景品が直方体形状であるときには、ローラーコンベアの載置面１１３ａは景品が滑りやすく有効である。ローラーコンベアにおいて電動でローラーを回転させることができるときには、載置面１１３ａは傾斜させる必要はない。または、平坦な載置面１１３ａ上を景品が滑りやすいように、景品を円柱形状や球形状のパッケージに梱包してもよい。
【００４２】
上述したように、本考案の第１実施形態に係る景品獲得装置１では、残念賞である第２の景品を保持する第２保持手段１１３や第２の景品を落下させる落下手段１１４を有している。これにより、景品獲得装置１を利用する利用者は、操作に成功した場合だけでなく操作に失敗して第１の景品を獲得することができない場合でも、その操作に応じて残念賞である第２の景品を獲得することができるため、利用者の達成感を向上させるができる。
【００４３】
〈第２実施形態〉
図４を用いて、本考案の第２実施形態に係る景品獲得装置について説明する。第２実施形態に係る景品獲得装置は、図１を用いて上述した景品獲得装置１と比較して、図２に示した景品排出機構１１に代えて、図４に示す景品排出機構１１ａを備えている点で異なる。なお、第２の実施形態に係る景品獲得装置では、景品排出機構１１ａ以外の構成については図１乃至図３を用いて上述した景品獲得装置１と同一のため、同一の符号を用いて説明を省略する。
【００４４】
図２を用いて上述した景品獲得機構１１では、パネル１１１が支持板１１６のパネル支持部１１６ａと壁部１１７ａ、第２支持手段１１７ｂ及び第３支持手段１１７ｃを利用して支えられていた。これに対し、図４に示す景品獲得機構１ａでは、パネル１１１は第１支持手段１１５に支持される落下手段１１４にのみ支えられている。したがって、第２実施形態に係る景品獲得機構１１ａでは、単にパネル１１１及び落下手段１１４の重さとパネル１１１、落下手段１１４及び第１支持手段１１５の位置関係を利用して、パネル１１１が押圧されていない状態で凸部１１４ａが載置面１１３ａよりも上にならないように調整されている。また、第１支持手段１１５の可動範囲が制限することで、パネル１１１と落下手段１１４とのバランスをとることができる。
【００４５】
なお、パネル１１１と落下手段１１４とを固定する方法の他、パネル１１１と落下手段１１４とを一体とし、パネル１１１の一部を落下手段１１４とするものであってもよい。
【００４６】
この第２の実施形態に係る景品獲得装置でも、貫通棒１２１が貫通孔１１１ａを通過して接触板１１２ａを押圧した場合に第１の景品Ａが落下すると、利用者は第１の景品Ａを獲得することができる。また、貫通棒１２１が貫通孔１１１ａを通過できずにパネル１１１を押圧して凸部１１４ａがストッパ１１３ｃより高くなった場合に第２の景品Ｂが落下すると、利用者は第２の景品Ｂを獲得することができる。
【００４７】
上述したように、本考案の第２実施形態に係る景品獲得装置でも第１実施形態の場合と同様に、残念賞である第２の景品を保持する第２保持手段１１３や第２の景品を落下させる落下手段１１４を有している。これにより、景品獲得装置１を利用する利用者は、操作に成功した場合だけでなく操作に失敗した場合でも、その操作に応じて残念賞である第２の景品を獲得することができるため、利用者の達成感を向上させるができる。
【００４８】
また、第２実施形態に係る景品獲得装置では、パネル支持部１１６ａやパネルの支持に利用する壁部１１７ａ、第２支持手段１１７ｂ及び第３支持手段１１７ｃ等の構成を不要であり、第１実施形態に係る景品獲得装置よりも容易な構成にすることができる。
【００４９】
その他、図１乃至図４を用いて上述して例では、貫通棒１２１の断面形状及び貫通孔１１１ａの形状は円形であったが、貫通棒１２１が貫通孔１１１ａを貫通することができれば、その形状は限定しない。このとき、貫通棒１２１の大きさが貫通孔１１１ａに近いほうが貫通棒１２１を貫通孔１１１ａに貫通させにくくなるため、利用者による景品獲得の難易度が高くなる。
【００５０】
また、難易度調整のため、貫通棒１２１の長さを伸縮自在にするようにしてもよい。すなわち、貫通棒１２１の長さを短く調整した場合には難易度が高くなり、貫通棒１２１の長さを長く調整した場合には難易度が低くなる。
【００５１】
さらに、難易度調整のため、貫通棒１２１の太さ及び貫通孔１１１ａの大きさを調節することもできる。すなわち、同一な貫通棒１２１の太さの場合には、貫通孔１１１ａの大きさは小さいより大きい方が難易度は低くなる。また、同一な貫通孔１１１ａの大きさの場合には、貫通棒１２１は太いよりも細い方が難易度は低くなる。例えば、貫通棒１２１を取替え可能な構成にして、難易度を調整可能に構成することができる。
【符号の説明】
【００５２】
１，１ａ…景品獲得装置
１０…景品収納部
１１…景品排出機構
１１１…パネル
１１１ａ…貫通孔
１１２…第１保持手段
１１２ａ…載置板
１１２ｂ…接触板
１１２ｃ…止め具
１１２ｄ…紐
１１２ｅ…回転軸
１１２ｆ…可動部
１１３…第２保持手段
１１３ａ…載置面
１１３ｂ…ガイド
１１３ｃ…ストッパ
１１３ｄ…切込部
１１４…落下手段
１１４ａ…凸部
１１５…第１支持手段
１１６…支持板
１１６ａ…パネル支持部
１１６ｂ…貫通孔
１１６ｃ…落下手段支持部
１１７ａ…壁部
１１７ｂ…第２支持手段
１１７ｃ…第３支持手段（第２支持手段）
１２ａ，１２ｂ…景品獲得手段
１２１…貫通棒
１３…駆動機構
１４ａ，１４ｂ…景品排出口
１５…操作部
【図１】
0003168033.tif 000003
【図２】
0003168033.tif 000004
【図３】
0003168033.tif 000005
【図４】
0003168033.tif 000006